(57)【特許請求の範囲】
【請求項１】
ファンネル部にアノード端子を有しネック部外周に偏向ヨークが取付けられ、コーナー部分に取付金具を有した陰極線管と、
前記陰極線管のファンネル部外周に取付けられる第１、第２の環状コイルにて成る消磁コイルと、
前記第１、第２のコイルを所定間隔をもって連結するとともに、前記第１、第２のコイルのそれぞれの環状の対向辺間を結ぶように前記第１、第２のコイルに取付けられ、前記アノード端子及び前記偏向ヨークを避けた位置にそれぞれ配置された複数のテープ部材と、
前記テープ部材が取付けられた前記消磁コイルを前記陰極線管の取付金具に固定するための固定部材とを具備したことを特徴とする陰極線管の消磁装置。
【請求項２】
前記第１、第２のコイルの一部が、前記陰極線管のコーナー部において斜めに取付けられたことを特徴とする請求項１記載の陰極線管の消磁装置。
【請求項３】
前記消磁コイルは、前記陰極線管に取付けられる前に前記テープ部材が前記第１、第２のコイルに取付けられたことを特徴とする請求項１記載の陰極線管の消磁装置。
【請求項４】
前記第１、第２のコイルは、前記陰極線管のファンネル部外周の上下部にそれぞれに取付けられ、互いに台形状を成すことを特徴とする請求項１記載の陰極線管の消磁装置。
【請求項５】
前記テープ部材は、弾性を有する材料にて成ることを特徴とする請求項１記載の陰極線管の消磁装置。
【請求項６】
ファンネル部にアノード端子を有しネック部外周に偏向ヨークが取付けられ、コーナー部分に取付金具を有した陰極線管と、
前記陰極線管のファンネル部外周の上下部にそれぞれ取付けられる第１、第２の環状コイルにて成る消磁コイルと、
前記第１、第２のコイルを所定間隔をもって連結するとともに、前記偏向ヨークを避けた位置に対称的に配置された第１のテープ部材と、
前記第１のコイルの環状の対向辺間を結ぶように、前記アノード端子を避けた位置に対称的に配置された第２のテープ部材と、
前記第２のコイルの環状の対向辺間を結ぶように配置された第３のテープ部材と、
前記第１、第２、第３のテープ部材が取付けられた前記消磁コイルを前記陰極線管の取付金具に固定するための固定部材とを具備したことを特徴とする陰極線管の消磁装置。
【発明の詳細な説明】
【０００１】
【発明の属する技術分野】
本発明は、テレビ受像機等の陰極線管（以下ＣＲＴと称す）の消磁装置に係り、特にＣＲＴの周囲に消磁コイルを取付ける際に、容易に位置決めができるようにし、外部磁界による色の均一性の悪化を防止することができる消磁装置に関するものである。
【０００２】
【従来の技術】
一般にカラーテレビ受像機に使用されているＣＲＴは、内蔵したシャドウマスク及びインナーシールド金具が地磁気等の外部磁界によつて帯磁することがあり、この帯磁の影響で電子銃からの電子ビームの軌道が乱れ、色純度が劣化し色の均一性が悪化した画面となる。
【０００３】
このため、従来からＣＲＴの外周に消磁コイルを取付け、電源を投入するたびに消磁コイルに消磁電流を流し、ＣＲＴに帯磁した磁気を消磁するようにしている。前記消磁電流は、自動消磁回路によって生成され、時間の経過とともに徐々に減衰する交番電流が消磁コイルに供給されるようになっている。
【０００４】
図３は、従来の消磁コイルの取付構造の一例を示すもので、ＣＲＴの背面から見た図である。図３において１１はＣＲＴであり、このＣＲＴの４隅には、ラグと呼ばれる取付金具１２が設けられており、この取付金具１２はＣＲＴ１１を受像機の前面筐体に取り付けるため、あるいは消磁コイル１５、１６を取付けるために使用される。またＣＲＴ１１のネック部には偏向ヨーク１３が取付けられるとともに、ＣＲＴ１１のファンネル部外周面には高圧を供給するためのアノード端子１４が設けられている。
【０００５】
前記消磁コイル１５，１６はそれぞれ環状に形成され、かつ直列に接続されてＣＲＴ１１の背面における上下部にそれぞれ取付けられている。消磁コイル１５、１６はそれぞれ固定バンド１７を用いて取付金具１２に取付けられるが、消磁コイル１５、１６が前記偏向ヨーク１３及びアノード端子１４に触れないように避けて取付ける必要があり、固定バンド１７のほかに固定テープ１８を用いて消磁コイル１５、１６をＣＲＴ１１の背面外周部に固着するようにしている。また、消磁コイル１５、１６との間を結束バンド１９で結ぶようにしている。
【０００６】
このため、消磁コイル１５、１６の取付時には先ず固定バンド１７で取付金具１２に取付け、そのあとで固定テープ１８を用いて最終的に位置決めする必要があり、取付け作業が面倒で、効率が悪いという欠点があった。また作業者により固定テープ１８を貼り付ける位置がばらつくため、最適な位置に取付けることが難しいという不都合もあった。
【０００７】
さらに、ＣＲＴ１１のコーナー部１１１、１１２は磁界と直角に上下方向に消磁作用が働くため、蛍光体がストライプ状に配置されたＣＲＴでは効率的な消磁作用が働かず、ＣＲＴ全体に均一な消磁効果が得られないという欠点もあった。
【０００８】
なお、前述した固定テープ１８を用いる代わりに、実開昭６０−６１８８２号公報のようにバンド状の支持具を用いて上下の消磁コイルを互いに引っ張りあうように連結する例もあるが、消磁コイルの形状が変形したり、支持具の取付け作業が面倒であるという不都合があった。
【０００９】
【発明が解決しようとする課題】
このように、従来の消磁装置では、消磁コイル１５、１６の取付け時に固定バンドや固定テープを用いて取付ける必要があり、作業効率が悪くなるとともに取付作業に時間がかかり、またＣＲＴのコーナー部の消磁効果が劣ると問題点があった。
【００１０】
本発明は、上記した問題点に鑑み、消磁コイルをＣＲＴ背面に正確に位置決めして容易に取り付けることができるとともに、消磁効果がＣＲＴ全体にわたって均一になるようにした消磁装置を提供するものである。
【００１１】
【課題を解決するための手段】
本発明は、ファンネル部にアノード端子を有しネック部外周に偏向ヨークが取付けられ、コーナー部分に取付金具を有した陰極線管と、
前記陰極線管のファンネル部外周に取付けられる第１、第２の環状コイルにて成る消磁コイルと、
前記第１、第２のコイルを所定間隔をもって連結するとともに、前記第１、第２のコイルのそれぞれの環状の対向辺間を結ぶように前記第１、第２のコイルに取付けられ、前記アノード端子及び前記偏向ヨークを避けた位置にそれぞれ配置された複数のテープ部材と、
前記テープ部材が取付けられた前記消磁コイルを前記陰極線管の取付金具に固定するための固定部材とを具備したことを特徴とする陰極線管の消磁装置である。
【００１２】
本発明によれば、消磁コイルを前記陰極線管に取付ける前に前記テープ部材を第１、第２のコイルに取付けておくことにより、陰極線管への取付けが簡単にでき、且つ正確に位置決めすることができる。
【００１３】
【発明の実施の形態】
図１は本発明の消磁装置の全体構造を示すもので、ＣＲＴの背面から見た図である。また図２は、消磁コイル部分を示す斜視図であり、図３と同一部分には同一符号を記している。
【００１４】
図１、図２において、１１はＣＲＴであり、ＣＲＴ１１の４隅には、ラグと呼ばれる取付金具１２が設けられている。またＣＲＴ１１のネック部には偏向ヨーク１３が取付けられるとともに、ＣＲＴ１１の外周面には高圧を供給するためのアノード端子１４が設けられている。一方、消磁コイルは２つのコイル１５、１６にてなり、それぞれ環状に形成され、かつ直列に接続されてＣＲＴ１１のファンネル部外周の上下部にそれぞれ取付けられるものである。なお、２０は消磁コイルへ電流を供給するためのコネクタである。
【００１５】
消磁コイル１５、１６はそれぞれ固定バンド１７を用いて取付金具１２に取付けられるが、その前加工として消磁コイル１５、１６には図２に示すように帯状のテープ部材２１，２２，２３を取付けるようにしている。テープ部材２１は、消磁コイル１５と１６を連結するようにし、偏向ヨーク１３の位置を避けてその両側に取付けられ、消磁コイル１５と１６が所定の間隔をもって配置されるようにしている。
【００１６】
また消磁コイル１５の上辺と下辺との間には帯状のテープ部材２２を２箇所取付け、上辺と下辺の間隔を保つようにしている。つまりテープ部材２２は消磁コイル１５の環状の対向辺間を結ぶように配置されている。尚、テープ部材２２は、アノード端子１４を避けた位置に対称的に取付けられ、消磁コイル１５の形状が全体として逆台形状になるようにしている。
【００１７】
また、消磁コイル１６も同様に、上辺と下辺との間に帯状のテープ部材２３を１箇所取付け、上辺と下辺の間隔を保つするようにしており、消磁コイル１６の形状が全体として台形状になるようにしている。
【００１８】
なお、前記テープ部材２１、２２、２３は、塩化ビニール（ＰＶＣ）等の接着テープが用いられ、例えば２層の接着テープを消磁コイル１５と１６の間、または各消磁コイルの上辺と下辺間に接着面を互いに貼り合わせるようにして取付けられている。またテープ部材２１、２２、２３は、多少の弾性を有するため、テープ部材の長さが多少ばらついても消磁コイル１５、１６の取付け位置を微妙に修正することができる。
【００１９】
こうして前加工の施された消磁コイル１５，１６は、固定バンド１７を用いてＣＲＴ１１の取付金具１２に取付けられる。これにより消磁コイル１５と１６は、テープ部材２１，２２，２３により互いに所定距離をおいてＣＲＴ１１の背面に取付けられ、かつ消磁コイル１５，１６の上辺と下辺の間も所定の距離をおいてＣＲＴ１１の背面に取付けられる。
【００２０】
また、偏向ヨーク１３やアノード端子１４の位置を確実に避けて取付けることができ、しかも消磁コイル１５，１６はテープ部材２１，２２，２３により所定の形状に保つことができる。
【００２１】
さらに、ＣＲＴ１１のコーナー部１１１、１１２については、消磁コイル１５が斜め（約４５度）に取付けられるため、蛍光体がストライプ状に配置されたＣＲＴでも左右方向の消磁作用が働き、消磁効果を向上することができる。
【００２２】
なお、テープ部材２１，２２の取付け位置は図示した例に限らず、左右方向に移動させた位置に設けても良く、またテープ部材２３は１個所に限らず２個所に設けても良い。また、各テープ部材の長さや取付け位置、あるいは個数はＣＲＴの大きさに応じて任意に設定することができる。
【００２３】
【発明の効果】
以上説明したように、本発明の消磁装置では、テープ部材２１，２２，２３により前加工された消磁コイル１５と１６を、固定バンド１７を用いてＣＲＴ１１の取付金具１２に取付けるだけで、ＣＲＴ１１の背面に正確に位置決めして取付けることができ、取付け作業が向上する。また取付け後の形状変形も防止することができ、かつ消磁効果をＣＲＴ全体にわたって均一にすることができる。
【図面の簡単な説明】
【図１】本発明の消磁装置を示す背面図。
【図２】本発明の消磁装置に使用する消磁コイルの形状を説明する斜視図。
【図３】従来の消磁装置を示す背面図。
【符号の説明】
１１…ＣＲＴ
１２…取付金具
１３…偏向ヨーク
１４…アノード端子
１５、１６…消磁コイル
１７…固定バンド
２１、２２、２３…テープ部材
【図１】
0004011262.tif 000002
【図２】
0004011262.tif 000003
【図３】
0004011262.tif 000004